(57)【特許請求の範囲】
【請求項１】
ロール紙１を内部から保持するローラ軸２と、ロール紙１から紙１ａを挟圧して所定長さ毎引き出す送り出しローラ３・送り出し補助ローラ12と、引き出された所定長さの紙１ａを平坦折畳状に巻き取る巻き取り回転体４と、上記送り出しローラ３と上記巻き取り回転体４との間に配設されている固定切断刃５と、複数の棚板60ａ…を有すると共に隣り合う該棚板60ａ，60ａの間の距離が側面視基端から先端に向って拡開乃至平行となるように配設されることにより収納部66が形成されたストックケース60と、を備え、
上記巻き取り回転体４は、紙１ａを巻き取りつつ紙１ａに引張力を付与することで、紙１ａを上記固定切断刃５に押し付けて所定長さに切断するように構成され、さらに、該巻き取り回転体４が上記所定長さの紙１ａを平坦折畳状に巻き取ることにより成形された被成形紙Ｍを、隣り合う上記棚板60ａ，60ａの間の上記収納部66に収納可能となるように構成したことを特徴とするロール紙巻取切断機。
【請求項２】
ロール紙１を内部から保持するローラ軸２と、ロール紙１から紙１ａを挟圧して所定長さ毎引き出す送り出しローラ３・送り出し補助ローラ12と、引き出された所定長さの紙１ａを平坦折畳状に巻き取る巻き取り回転体４と、上記送り出しローラ３と上記巻き取り回転体４との間に配設されている固定切断刃５と、該巻き取り回転体４の回転円Ｃ内に垂下状に挿設される巻締部47と、を備え、
上記巻き取り回転体４は、紙１ａを巻き取りつつ紙１ａに引張力を付与することで、紙１ａを上記固定切断刃５に押し付けて所定長さに切断し、
上記巻締部47は、該巻き取り回転体４に巻き取られる紙１ａに接触すると共にくの字状に折曲がって、該巻き取り回転体４に巻き取られる紙１ａに巻締力を付与するように構成されていることを特徴とするロール紙巻取切断機。
【請求項３】
ロール紙１を内部から保持するローラ軸２と、ロール紙１から紙１ａを挟圧して所定長さ毎引き出す送り出しローラ３・送り出し補助ローラ12と、引き出された所定長さの紙１ａを平坦折畳状に巻き取る巻き取り回転体４と、上記送り出しローラ３と上記巻き取り回転体４との間に配設されている固定切断刃５と、を備え、
上記巻き取り回転体４は、回転板40と、該回転板40にその軸心Ｌに対して対称位置に垂設されると共に相互に接近・離間自在となるように構成された２本の折畳棒41，41と、を有し、該２本の折畳棒41，41の間に配設された紙１ａを平坦折畳状に巻き取るように構成され、
さらに、上記巻き取り回転体４は、紙１ａを巻き取りつつ紙１ａに引張力を付与することで、紙１ａを上記固定切断刃５に押し付けて所定長さに切断するように構成されていることを特徴とするロール紙巻取切断機。
【発明の詳細な説明】
【０００１】
【発明の属する技術分野】
本発明は、ロール紙巻取切断機に関する。
【０００２】
【従来の技術】
従来、（トイレットペーパ等の）ロール紙から所定長さの紙を切り取って折り畳む機械はなく、これらの作業を手作業で行っていた。即ち、ホルダーにセットされたロール紙から一方の手で紙を目分量で適当に引き出し、他方の手でホルダーの上カバーを押さえ、引き出した紙を引っ張りながら切断し、切断した紙を適当な幅・枚数に平坦状に折り畳み使用していた。
【０００３】
【発明が解決しようとする課題】
しかしながら、従来の手作業では、ロール紙にはミシン目が入れてあるがその間隔が約２３ｃｍで必ずしもミシン目で切断するとは限らず、また、ミシン目は探しにくいため、引き出し量にバラツキが生じ、折り畳み幅・枚数も一定せず、手間のかかるものであった。
【０００４】
そこで、本発明は、所定の折り畳み幅・枚数となるようにロール紙から所定長の紙を平坦折畳状に巻き取って切断することができるロール紙巻取切断機を提供することを目的とする。
【０００５】
【課題を解決するための手段】
上述の目的を達成するために、本発明に係るロール紙巻取切断機は、ロール紙を内部から保持するローラ軸と、ロール紙から紙を挟圧して所定長さ毎引き出す送り出しローラ・送り出し補助ローラと、引き出された所定長さの紙を平坦折畳状に巻き取る巻き取り回転体と、上記送り出しローラと上記巻き取り回転体との間に配設されている固定切断刃と、複数の棚板を有すると共に隣り合う該棚板の間の距離が側面視基端から先端に向って拡開乃至平行となるように配設されることにより収納部が形成されたストックケースと、を備え、上記巻き取り回転体は、紙を巻き取りつつ紙に引張力を付与することで、紙を上記固定切断刃に押し付けて所定長さに切断するように構成され、さらに、該巻き取り回転体が上記所定長さの紙を平坦折畳状に巻き取ることにより成形された被成形紙を、隣り合う上記棚板の間の上記収納部に収納可能となるように構成したものである。
【０００６】
また、ロール紙を内部から保持するローラ軸と、ロール紙から紙を挟圧して所定長さ毎引き出す送り出しローラ・送り出し補助ローラと、引き出された所定長さの紙を平坦折畳状に巻き取る巻き取り回転体と、上記送り出しローラと上記巻き取り回転体との間に配設されている固定切断刃と、該巻き取り回転体の回転円内に垂下状に挿設される巻締部と、を備え、上記巻き取り回転体は、紙を巻き取りつつ紙に引張力を付与することで、紙を上記固定切断刃に押し付けて所定長さに切断し、上記巻締部は、該巻き取り回転体に巻き取られる紙に接触すると共にくの字状に折曲がって、該巻き取り回転体に巻き取られる紙に巻締力を付与するように構成されている。
【０００７】
また、ロール紙を内部から保持するローラ軸と、ロール紙から紙を挟圧して所定長さ毎引き出す送り出しローラ・送り出し補助ローラと、引き出された所定長さの紙を平坦折畳状に巻き取る巻き取り回転体と、上記送り出しローラと上記巻き取り回転体との間に配設されている固定切断刃と、を備え、上記巻き取り回転体は、回転板と、該回転板にその軸心に対して対称位置に垂設されると共に相互に接近・離間自在となるように構成された２本の折畳棒と、を有し、該２本の折畳棒の間に配設された紙を平坦折畳状に巻き取るように構成され、さらに、上記巻き取り回転体は、紙を巻き取りつつ紙に引張力を付与することで、紙を上記固定切断刃に押し付けて所定長さに切断するように構成されている。
【０００８】
【発明の実施の形態】
以下、実施の形態を示す図面に基づき、本発明を詳説する。
【０００９】
本発明に係るロール紙巻取切断機は、図１〜図５に示すように、ロール紙１を内部から保持するローラ軸２と、ロール紙１から紙１ａを挟圧して所定長さ毎引き出す送り出しローラ３・送り出し補助ローラ１２と、引き出された所定長さの紙１ａを平坦折畳状に巻き取る巻き取り回転体４と、送り出しローラ３と巻き取り回転体４との間に配設されている固定切断刃５と、を備え、巻き取り回転体４は、紙１ａを巻き取りつつ紙１ａに引張力を付与することで、紙１ａを固定切断刃５に押し付けて所定長さに切断するように構成されている。
【００１０】
そして、巻き取り回転体４が所定長さの紙１ａを平坦折畳状に巻き取って成形した被成形紙Ｍは、図１４に示すように、そのままの状態で使用され、この被成形紙Ｍの折畳幅Ｈは７０ｍｍ〜  １００ｍｍがよく、使い勝手がよい。
【００１１】
本巻取切断機は、（直方体状の）外箱７を備え、外箱７の前面には、（右側の）操作用扉８が（下側の）左右ヒンジ部８ａ，８ａを介して（左右）水平軸心廻りに揺動自在となるように取り付けられて（上側が）前方へ開くように構成されると共に、（左側の）点検用扉９が（下側の）左右ヒンジ部９ａ，９ａを介して（左右）水平軸心廻りに揺動自在となるように取り付けられて（上側が）前方へ開くように構成されている。そして、点検用扉９を開けて、外箱７内部の機械装置の漏電ブレーカーの操作等が可能となる。また、操作用扉８は、その上部を、係止具８ｂにて、外箱７に離脱自在になるように係止されている。
【００１２】
また、外箱７の上面には、上カバー１０が（左右）水平軸心廻りに揺動自在となるように取り付けられて上方へ開くように構成されている。そして、上カバー１０を開けて、外箱７内部に使用するロール紙１を装着することができると共に、外箱７内部に予備のロール紙１を収納することができる。なお、外箱７の後面が、（図示省略の）トイレのブース等の壁に取り付けられる。
【００１３】
外箱７の左側には、被成形紙Ｍを５〜１０枚程度収納できるストックケース６０が取り付けられている。具体的に述べると、ストックケース６０は、側面視扇子の骨状に配設された複数枚（本実施の形態では１０枚）の棚板６０ａ…を有し、被成形紙Ｍを、隣り合う棚板６０ａ，６０ａによって形成される収納部６６に収納可能となるように構成しており、狭い空間でも、多くの棚板６０ａ…（多くの収納部６６…）を配設できて多くの被成形紙Ｍ…を収納できる構成となっている。なお、ストックケース６０を、複数枚の棚板６０ａ…を上下方向に並設して、平行棚となるように構成してもよい。要するに、隣り合う棚板６０ａ，６０ａの間の距離が側面視基端から先端に向って拡開乃至平行となるように配設され、上記収納部６６は先端開口方向に拡開状又は平行状となっている。
【００１４】
ローラ軸２は、その両端部が外箱７内部の左右固定板１３，１３の上部に離脱自在に枢結され、ローラ軸２にて内部を挿通状に保持されるロール紙１が、左右水平軸心廻りに（ローラ軸２と共に）回転可能となる。
【００１５】
ロール紙１は、例えばトイレットペーパであり、外箱７の上カバー１０を上げてローラ軸２を取り出し、ロール紙１の内部にローラ軸２を通して、再び、ローラ軸２を左右固定板１３，１３に取り付けることで、ロール紙１を外箱７の内部に装着することができる。この装着方法は、従来と同じ方法であり、機械の故障時や停電時に、従来と同じ手動による使用ができるようにしている。即ち、手動による使用の場合は、上カバー１０を上げて、操作用扉８の前面側に紙１ａを引き出し、上カバー１０を閉じて、上カバー１０と操作用扉８の上端縁との間に紙１ａを挟み、上カバー１０を押さえて切断し、従来と同じ使用（切断）ができる。
【００１６】
送り出しローラ３は、ローラ軸２の下方に配設され、外箱７内部の左右固定板１３，１３に左右水平軸心廻りに回転可能となるように取り付けられており、ローラ３の後方に配設された（減速機付の）送り出しモータ２１のモータギヤ２２に、ローラ３のローラギヤ３ａが噛み合って、モータ２１の回転にてローラ３が回転する。
【００１７】
また、ローラ３の前方には送り出し補助ローラ１２が対向状に、かつ、ローラ３に接近・離間自在となるように配設されており、ローラ３と補助ローラ１２とで、ロール紙１の紙１ａを適当な接触圧力で挟圧して下方へ引き出すように構成されている。
【００１８】
具体的に述べると、補助ローラ１２の軸部は、操作用扉８の後面（内面）に取り付けられた取付板６の（前後方向の）長孔６ａに移動自在に保持されると共に、（圧縮バネ等の）弾性部材６２にてローラ３方向へ常時弾発付勢されており、操作用扉８の閉状態で、補助ローラ１２は、ローラ３に適度な圧力で接触する。なお、操作用扉８が内側から前方向へ押される力は、補助ローラ１２のローラ３への押圧力（弾性部材６２の弾発力）のみであり、その他の機械的な力が作用しないため、操作用扉８は十分に閉状態を維持することができる。また、図４では、操作用扉８及び補助ローラ１２を省略して描いている。
【００１９】
また、ローラ３と補助ローラ１２との紙１ａへの接触（挟圧）部位は、紙幅の中心部で、かつ、紙幅の３分の２程度（７０ｍｍ〜９０ｍｍ）に設定され、紙１ａの垂下の安定性がよい（即ち、左右均等に垂下される）。
【００２０】
ローラ３の外周長さは、被成形紙Ｍの折畳幅Ｈ（図１４参照）と同じにしておくと制御がし易いため、ローラ３の直径Ｄ１  は２５ｍｍ〜３５ｍｍが好ましい。また、モータギヤ２２とローラギヤ３ａのギヤ比を１対１とすることで、モータギヤ２２の１回転で被成形紙Ｍの折畳幅Ｈと同じ長さの紙１ａが送り出される。
【００２１】
モータギヤ２２の周縁近傍には、カウンタータボ３１が突設され、カウンタータボ３１は、モータギヤ２２の後方に配設されるカウンタースイッチ３２に接触可能となり（モータギヤ２２の１回転毎にカウンタースイッチ３２を１度押し）、モータギヤ２２が所定数回転した後に、送り出しモータ２１が停止するように構成され、紙１ａの引き出し量を正確にすることができる。また、カウンタースイッチ３２には、カウンター制御が設けられ、図１に示す点検用扉９に設けられたカウント指定部３３と接続され、カウント指定部３３により、送り出しローラ３の回転数が決定される。このカウント指定部３３は、巻き取り回転体４にて折畳状に巻き取られる紙１ａの量（折畳枚数）を決定するものである。
【００２２】
また、ローラ３の外周面は、紙１ａとの接触面が小さいため、紙１ａを確実に引き出すことができるように粗く形成されており、例えば、ローラ３の外周面は、多数の小突起を設けたり、若しくは、ギア状に形成されている。なお、ローラ３に代えて、若しくは、ローラ３と共に、補助ローラ１２の外周面を粗面としてもよい。
【００２３】
ローラ３の外周面の中央部には、周方向の溝１４が形成され、ローラ３の下方に配設される山の字状の（平板状）送り出しガイド１５の差込片１５ａ…が、各々、溝１４、及び、ローラ３の左右両側に下方から垂直状に挿入され、ローラ３，１２にて引き出された紙１ａを、ローラ３の下方に配設されている固定切断刃５に阻害されることなく、確実に下方へ導くことができる。即ち、引き出された紙１ａは、通常、巻癖により、内側（後側）にカールしているが、紙１ａの内側に配設された送り出しガイド１５にて、紙１ａの内側への進入を阻止することができる。
【００２４】
送り出しガイド１５は、例えば、その上下高さ略中央位置に設けられた左右水平方向の軸部１５ｂにて、左右固定板１３，１３に、揺動可能となるように取り付けられている。なお、紙１ａの外側（前側）に、もう一つの送り出しガイド１５を配設してもよい。また、送り出しカイド１５は、静電気による紙１ａの付着を防ぐために金属製、又は、静電気の発生の少ない材料を用いるのが好ましい。
【００２５】
固定切断刃５は、紙１ａの幅より若干大きい帯状に形成され、長手方向の刃先が紙１ａ側（前側）を向くように送り出しガイド１５の下方位置に配設されると共に、固定切断刃５の両端が、左右固定板１３，１３に固着されている。固定切断刃５は、例えば、図６（イ）に示すように、長手方向中央部が突出状（山状）の端縁５ｂに、同じ大きさの多数の歯５ａ…を設けた構成であってもよく、若しくは、図６（ロ）に示すように、平坦状の端縁５ｂに、大小２つの歯５ａ，５ａを交互に設けた構成であってもよく、紙１ａがダブル紙等の厚みのある場合においても、切断可能となる。また、隣り合う歯５ａ，５ａの間の歯底部を円形窪み状とするのが好ましく、紙１ａの切断の際の紙繊維の絡まりも少なく埃の発生も少なくなる。
【００２６】
巻き取り回転体４は、固定切断刃５の下方に配設され、回転板４０と、該回転板４０にその軸心Ｌに対して対称に垂設された２本の（丸形の）折畳棒４１，４１と、を備え、該２本の折畳棒４１，４１の間に配設された紙１ａを平坦折畳状に巻き取るように構成されている。
【００２７】
巻き取り回転体４は、例えば、図７に示すように、折畳棒４１の基端に基板部４８が取り付けられ、基板部４８に（径方向の）長孔４８ａが形成され、基板部４８が、長孔４８ａを挿通した（ボルトなどの）締付具６１にて、回転板４０に取り付けられ、２つの折畳棒４１，４１が相互に接近・離間自在となる。なお、回転板４０の表面には、基板部４８が嵌合する（１ｍｍ程度の）直径方向の凹溝４０ａが設けられ、基板部４８が回転板４０に安定した状態で固定される。また、締付具６１は、回転板４０に貫設されたタップ孔に螺合自在となる。
【００２８】
２本の折畳棒４１，４１の間隔は、２本の折畳棒４１，４１にて巻き取られる被成形紙Ｍの折畳幅Ｈ（図１４参照）を決定するため、送り出しローラ３の２回転で送り出される量の紙１ａを１回転で巻き付けるように設定されている。
【００２９】
回転板４０は、外箱７の左の側板１１（固定板１３）に左右水平軸心Ｌ廻りに回転可能となるように取り付けられており、回転板４０の後方に配設された（減速機付の）折り畳みモータ２３のモータギヤ２４に、回転板４０の外周面に形成されたギヤが噛み合って、折畳みモータ２３の回転にて回転板４０が回転する。
【００３０】
なお、折り畳みモータ２３のモータギヤ２４と、回転板４０のギヤと、のギヤ比を、１対２とし、モータギヤ２４の１回転で、巻き取り回転体４による折り畳み枚数を１枚分とする。なお、紙１ａがダブル紙等の厚み又は強度のある場合、回転板４０を（一旦停止して）約９０°逆回転させ、再度正回転させるような動作を繰り返すように作動させるのも望ましい。
【００３１】
さらに、モータギヤ２４の周縁近傍には、１つの停止タボ５２が突設され、停止タボ５２は、折り畳みモータ２３の上方に配設される停止スイッチ５３に接触可能となり、２本の折畳棒４１，４１を結ぶ方向が水平面に対して０°〜１５°の角度を成す位置で回転板４０（折り畳みモータ２３）を停止するように構成されている。この設定角度は、（後述するように、）折畳棒４１に巻き付く紙１ａと巻締部４７との接触時間を長くするためである。
【００３２】
なお、ロール紙１がトイレットペーパーである場合、送り出しモータ２１及び折り畳みモータ２３は、４２ｍｍ角出力１Ｗで十分であるが、例えば、ロール紙１が、新規格のペーパータオル等のロール紙である場合は、６０ｍｍ角出力４Ｗとすれば十分である。
【００３３】
回転体４の後方下方位置には、光線又は電波等の信号を発振する発振器４４が配設され、回転体４の前方下方位置には、巻取停止用受振器４５が配設され、回転体４の前方上方位置には、運転開始用受振器４６が配設され、発振器４４は、巻取停止用受振器４５と運転開始用受振器４６とに同時に信号を発振している。または、発振器４４の発振幅が狭ければ、受振器４５と受振器４６の各々用に２個設けるも良い。
【００３４】
巻取停止用受振器４５は、発振器４４から信号を受振することで停止スイッチ５３に信号を送り、信号受振直後に停止タボ５２が停止スイッチ５３を押した時点で回転板４０（折り畳みモータ２３）を停止させる。ところで、タイマー制御等によって、巻き取り回転体４を、さらに約１〜２回転だけ、余分に回転してから、停止させるようにすれば、紙の巻締りが一層進んで、好ましい。
【００３５】
運転開始用受振器４６は、発振器４４から信号を受振することで送り出しモータ２１に信号を送り、再度、送り出しローラ３を回転させて紙１ａを引き出す。
【００３６】
折畳棒４１は、紙１ａの横幅の略全幅の範囲に接触可能となるように配設されており、操作用扉８の右側に設けられた切欠部１８と右側板１１の前側に設けられた切欠部１９とで形成される開口部２０から、折畳棒４１，４１に巻き取られた紙１ａ（被成形紙Ｍ）の右側を掴んで取り出すことができる。
【００３７】
折畳棒４１の外周面は滑らかに形成されており、紙１ａが折畳棒４１の外周面に対して滑り易くなる。
【００３８】
巻き取り回転体４の回転円Ｃ内に挿設され、巻き取り回転体４に巻き取られる紙１ａに接触して巻締力を付与する巻締部４７を備えている。ここで、回転円Ｃとは、巻き取り回転体４の紙１ａを巻き取る部位（即ち、折畳棒４１，４１）が回転したときに内接する円をいう。具体的に述べると、回転体４の後半部分でかつ回転円Ｃ内に（帯状の）巻締部４７を垂下状に挿設し、折畳棒４１，４１にて巻き取られる紙１ａに接触して巻締力を付与するようにしている。このように、巻締部４７は本体への収まりがよく、紙１ａの送り出しを阻害することがない。
【００３９】
巻締部４７は、例えば、摩耗しても糸のほつれることのない（不燃布などの）布類を複数枚重ねて、左右方向横縞状（横断状）に高周波ミシン等で熱溶着して、紙１ａとの接触面に波状の凹凸を形成するように製作され、紙１ａとの接触圧力を高め一層強い巻締力を付与することができる。
【００４０】
巻締部４７の左右幅は、折畳棒４１の長さよりも短く設定されて、巻締部４７は、折畳棒４１の長さ内に配設される。従って、巻締部４７は、発振器４４の信号を阻止することがない。
【００４１】
巻締部４７の上下長さは、回転円Ｃの直径よりも長く設定され、折畳棒４１が巻締部４７に長い間確実に接触するように構成されている。
【００４２】
巻締部４７の下方先端には（３〜１０グラムの）重り５４が取り付けられており、巻締力を一層大きくすることができる。もちろん、重り５４を省略してもよい。また、タイマー制御等によって、更に１〜２回転だけ余分に巻き取り回転体４を回転させることで、巻締力を増加するのが良い。
【００４３】
巻締部４７の上方基端は、前後方向に移動可能なスライド板５５に取り付けられ、前後位置の調整が可能となる。具体的に述べると、スライド板５５には調節レバー５６が取り付けられ、本体の右側板１１及び右固定板１３に貫設された調節窓部５７の係止凹凸部に、調節レバー５６を係脱することで、スライド板５５を、例えば、図５中の実線と仮想線に示すように、所望の前後位置に固定することができる。従って、本体外部より、調節レバー５６を操作して、スライド板５５の前後位置を容易に調節できる。
【００４４】
即ち、図５中の実線に示すように、巻締部４７を前方位置に固定すると、折畳棒４１と接触したときに形成される巻締部４７の折畳棒４１側の折曲角度θが小さくなり、折畳棒４１との接触圧力が大きくなって、巻締力が強くなる。これに対して、図５中の仮想線に示すように、巻締部４７を後方位置に固定すると、折曲角度θが大きくなり、折畳棒４１との接触圧力が小さくなって、巻締力が弱くなる。要するに、スライド板５５の前後位置調節により、巻締力の強弱を調節することができる。
【００４５】
回転体４の下方には、送り出しローラ３にて引き出された紙１ａを蓄積する紙受けトレイ３８が配設され、紙受けトレイ３８の底部には、側面視への字状に折り曲げられた金属線材５１が、左右方向に、所定（例えば、１５〜２０ｍｍ）間隔で、複数本（本実施の形態では５本）並設されている。そして、金属線材５１の頂点は、垂下する紙１ａの先端よりも若干前方に位置しており、紙受けトレイ３８前方に偏りがちな紙１ａの蓄積を後方にも適度に蓄積することができる。従って、本機を濡れた手で扱う場合、外箱７の開口部２０付近で水滴が落ちる可能性があるが、金属線材５１…により、紙１ａは、落ちている水滴で濡れることがない。さらに、紙受けトレイ３８は、外箱７に、外部へ引き出し可能に収納されており、底部に溜まった水滴又は紙等の埃を、容易に取り出す（清掃する）ことができる。
【００４６】
次に、本発明の作用（機能）を説明する。なお、カウント指定部３３（図１参照）を（最少指定枚数となる）折畳枚数４枚に設定した場合を示す。
【００４７】
まず、図３に示す操作用扉８を開ける。このとき、操作用扉８が操作用扉８の後方に配設されたドアスイッチ５０から離間してドアスイッチ５０が「切」となり、本機内の全ての電源が切れる。同時に、図８（イ）に示すように、操作用扉８に取り付けられた補助ローラ１２をローラ３から離間させる。そして、ロール紙１から引き出した紙１ａを、ローラ３と補助ローラ１２の間、及び、送り出しガイド１５の前面を通して、固定切断刃５に達するまで垂らして、操作用扉８を閉める。このとき、弾性部材６２の弾発付勢により、紙１ａをローラ３と補助ローラ１２にて適度な圧力にて挟み、同時に、ドアスイッチ５０が「入」となり、本機内の電源が入り、本機の運転を開始する。
【００４８】
そして、図８（ロ）に示すように、（指定された）所定長さの紙１ａを、ローラ３と補助ローラ１２にて挟圧して引き出して、折畳棒４１，４１の間に通して、紙受けトレイ３８に送り込む（蓄積する）。
【００４９】
その後、ローラ３の回転が停止し、図９（イ）に示すように、折畳棒４１が巻締部４７に接触している状態で、所定量の紙１ａを、回転体４にて巻き取り始めると、図９（ロ）に示すように、折畳棒４１，４１が、夫々、紙１ａの前面と後面に接触する。このとき、折畳棒４１は巻締部４７から離間し、巻締部４７は鉛直状に垂れ下がった状態となっている。
【００５０】
さらに、回転体４を回転させると、図１０（イ）に示すように、折畳棒４１，４１は、紙１ａの基端側と滑りを生じながら、（紙受けトレイ３８にある）紙１ａの先端側から巻き取る。このとき、巻締部４７は、重り５４の慣性により、くの字状に折り曲げられるため、紙１ａを折畳棒４１に強く巻き付けることができる。なお、紙１ａが、送り出しガイド１５の下方に当接するが、紙１ａの押圧力が小さいため、送り出しガイド１５の下方は、後方へは揺動しない。
【００５１】
そして、図１０（ロ）に示すように、折畳棒４１に巻き付いている紙１ａが、紙１ａの基端部に接触して（摩擦抵抗により）、回転体４の上方にある紙１ａを下方へ引っ張ることとなる。このとき、引張力を付与された紙１ａは、送り出しガイド１５の下部に過大な押圧力にて当接するため、送り出しガイド１５の下部が軸部１５ｂ廻りに後方へ揺動して逃げて、紙１ａが固定切断刃５に強く接触することとなる。
【００５２】
その後、図１１（イ）に示すように、固定切断刃５に強く押し付けられた紙１ａは、切断される。このとき、送り出しガイド１５の下方が、軸部１５ｂ廻りに元の位置に戻るため、固定切断刃５よりも上方位置にある紙１ａの繊維が、固定切断刃５に絡まっていたとしても、これを解き放し、次工程の紙１ａの送り出しを容易にする。
【００５３】
その後、切断された紙１ａの先端側が、図１１（ロ）に示すように、回転体４に巻き付けられ、図１２（イ）に示すように、発振器４４と巻取停止用受振器４５の間に紙１ａが無くなって、巻取停止用受振器４５が発振器４４から信号を受振し、回転体４の下方に（紙受けトレイ３８）に紙１ａが無いことを検知し、停止スイッチ５３に信号を送り、図１２（ロ）に示すように、信号受振直後に停止タボ５２が停止スイッチ５３を押した時点で回転体４が停止する。
【００５４】
このとき、回転体４に被成形紙Ｍが巻き付けられることとなるが、巻締部４７により、紙１ａの基端を揃えることができる。即ち、巻締部４７を前方位置に設置すると、紙１ａの基端が前方へ寄り、巻締部４７を後方位置に設置すると、紙１ａの基端が後方へ寄る。
【００５５】
そして、使用者は、外箱７の開口部２０（図１参照）から手を入れ、図１３（イ）に示すように、（４枚に折り畳まれた）被成形紙Ｍのつまみ領域Ｎ（折畳棒４１，４１の間）を掴んで、回転体４の軸心Ｌ方向へ抜き出す。すると、図１３（ロ）に示すように、運転開始用受振器４６が発振器４４から信号を受振し、回転体４に被成形紙Ｍが無い（即ち、発振器４４と運転開始用受振器４６との間に被成形紙Ｍが無い）ことを検知し、直ちに、送り出しローラ３の運転を再開して、新たな被成形紙Ｍを成形する。なお、回転体４から抜き取られた被成形紙Ｍは、図１４に示すように、既に平坦状に折り畳まれているため、そのまま使用できる。
【００５６】
次に、図１５に本発明の他の実施の一形態を示し、図５と比較すると明らかな如く次の構成が相違する。
【００５７】
即ち、図１５において、側面視Ｌ字状の揺動板５８を備え、揺動板５８の折れ曲がり部位に軸部５８ａが設けられ、揺動板５８が軸部５８ａ廻りに揺動可能となるように固定板１３に枢結されている。揺動板５８の一端に巻締部４７が取り付けられ、揺動板５８の他端に調節レバー５６が取り付けられている。調節レバー５６は、縦長円弧状の調節窓部５７の係止凹凸部に係脱可能となる。そして、調節レバー５６を、上から下方向へ揺動させると、巻締部４７が後から前方向へ揺動する。即ち、図１５中の仮想線と実線に示すように、揺動板５８を軸部５８ａ廻りに揺動させることで、巻締部４７による巻締力（折曲角度θ）を調整することができる。このように、固定切断刃５の後方位置に、揺動作動をする揺動板５８を配置することができる。
【００５８】
また、図１５において、送り出し補助ローラ１２は、連結アーム６４の一端に枢結され、連結アーム６４の他端は、操作用扉８の後面に付設された取付板６３の軸部６３ａに枢結されており、補助ローラ１２は、取付板６３の軸部６３ａ廻りに前後方向に揺動可能となる。また、取付板６３の軸部６３ａには、鋏バネ６５が巻設され、鋏バネ６５の一端が、操作用扉８の後面に当接し、鋏バネ６５の他端が、連結アーム６４に設けられた小突部６４ａに当接し、鋏バネ６５は、連結アーム６４を後方向に揺動させるように、弾発付勢している。即ち、補助ローラ１２は、鋏バネ６５の弾発力により、送り出しローラ３に、圧接する。
【００５９】
次に、図１６に本発明の別の実施の一形態を示し、図５と比較すると明らかな如く次の構成が相違する。即ち、図１６（イ）に示すように、固定切断刃５が、固定切断刃５の刃先が下方を向くように送り出しガイド１５の下方後方位置に配設されており、図１６（ロ）に示すように、紙１ａに引張力が付与されると、送り出しガイド１５の下方が後方へ揺動して、紙１ａが固定切断刃５の刃先に強く押し付けられて、紙１ａが切断するように構成されている。このように、固定切断刃５の横断面長手方向を、上下方向に配設することで、固定切断刃５の後方に配設される巻締部４７等の部材（図５、図１５参照）の収まりがよくなる。
【００６０】
次に、図１７に本発明のさらに他の実施の一形態を示し、図５と比較すると明らかな如く次の構成が相違する。即ち、図１７（イ）に示すように、固定切断刃５が、固定切断刃５の刃先が下方を向くように送り出しガイド１５の下端に一体状に設けられ、さらに、送り出しガイド１５が、揺動しないように固定されており、図１７（ロ）に示すように、紙１ａに引張力が付与されると、紙１ａが固定切断刃５の刃先に強く押し付けられて、紙１ａが切断するように構成されている。このように、送り出しガイド１５の下端縁を固定切断刃５として形成しているため、製造コストを軽減させることができると共に、固定切断刃５の後方に配設される巻締部４７等の部材（図５、図１５参照）の収まりが一層よくなる。
【００６１】
次に、図１８に本発明のさらに別の実施の形態を示す。即ち、図１８（イ）に示す固定切断刃５は、図１６に示す固定切断刃５と比較すると、その刃先が前方（紙１ａ側）へ折り曲げられている構成が相違し、紙１ａを確実に切断することができる。また、同様に、図１８（ロ）に示す固定切断刃５は、図１７に示す固定切断刃５と比較すると、その刃先が前方へ折り曲げられている構成が相違する。なお、固定切断刃５の刃先は、次回の紙１ａの送り出しを阻害しない程度に折り曲げられている。
【００６２】
次に、図１９は前述の図１に代わる他の実施の形態を説明するための正面図であり、図２０〜図２２は図１９の要部を示す図である。この図１９〜図２２に於て、前述した実施の形態と相違する構成につき主として説明する。
【００６３】
図１９に示すように、折り畳みモータ２３と巻き取り回転体４（回転板４０）とを、直接的に接続した構造とする。つまり、図１９に於てその左下方位置に形成された制御盤室６７内に、（減速機付の）折り畳みモータ２３を配置し、例えば、前記固定板１３に、この折り畳みモータ２３を取付け、（図１９〜図２２に示すように、）モータ出力軸２３ａに直接的に回転板４０を取着する。なお、回転板４０は、（前述の実施の形態では円形板としたのに対し、）細長菱形状等のアーム片をもって構成している。
【００６４】
そして、停止タボ５２，５２をこの回転板４０から突出状に付設する。この停止タボ５２を検知するリミットスイッチや光センサ等の停止スイッチ５３は、例えば、固定板１３に取着する。
【００６５】
このように構成すれば、モータギヤ２４（図５参照）等の部品が省略され、部品点数が減少し、構造の簡素化及びコストダウンを図り得る。さらに、ロール紙１が不意に図５のモータギヤ２４等に巻き込まれる故障の発生を防止できる。
【００６６】
なお、図２０〜図２２に示したように、モータ２３の出力軸２３ａに直接的に回転体４を取付ける場合に、図７に例示したような構造を適用するも好ましい。即ち、２本の折畳棒４１，４１が、相互に接近・離間自在となるようにする構成を付加するも、好ましい。
【００６７】
なお、本発明は上述の実施の形態に限定されず、例えば、操作用扉８を取り外し自在とし、点検又は修理時に好都合となるようにしてもよい。また、本機の運転の開始を、（別途設けた）開始ボタン、若しくは、２本の折畳棒４１，４１間の弱電圧の通電・非通電の検出等で、行うようにしてもよい。さらに、送り出しローラ３の回転数の制御をタイマー制御としてもよく、また、巻き取り回転体４の回転数の制御（即ち、巻き取りの終了）をカウンター制御又はタイマー制御や、ロータリーエンコーダ等の制御としてもよく、本発明の要旨を逸脱しない範囲で設計変更可能である。
【００６８】
【発明の効果】
本発明は上述の如く構成されるので、次に記載する効果を奏する。
【００６９】
（請求項１によれば、）所定の折り畳み幅・枚数となるようにロール紙（トイレットペーパ）１から所定長さの紙１ａを平坦折畳状に巻き取って切断するため、平坦折畳状の紙１ａをそのままの形状で使用でき、片手で取り扱えて手間がかからず、特に、幼児や手の不自由な人でも簡単に使用できる。また、ロール紙１に直接に手を触れることがないため、濡れた手でもそのまま利用することができ、例えば、スイミング・プールに隣接のトイレや、一般のトイレ等に設置して、手洗い後の簡便・安価な手拭きとして利用できる。さらに、（動力装置、伝動装置等の）駆動手段は、送り出しローラ３と巻き取り回転体４にのみ設ければよく、固定切断刃５では、不要となり、構造が簡単となり、コストダウンを図ることができ、全体として制御が簡単となる。
また、被成形紙Ｍを、複数枚、蓄えておくことができ、被成形紙Ｍを必要なときに迅速に使用することができる。子供や老人等の使用者に、好適となる。さらに、ストックケース60に蓄えられている被成形紙Ｍ…の取り出しが容易となる。
【００７０】
（請求項２によれば、）所定の折り畳み幅・枚数となるようにロール紙（トイレットペーパ）１から所定長さの紙１ａを平坦折畳状に巻き取って切断するため、平坦折畳状の紙１ａをそのままの形状で使用でき、片手で取り扱えて手間がかからず、特に、幼児や手の不自由な人でも簡単に使用できる。また、ロール紙１に直接に手を触れることがないため、濡れた手でもそのまま利用することができ、例えば、スイミング・プールに隣接のトイレや、一般のトイレ等に設置して、手洗い後の簡便・安価な手拭きとして利用できる。さらに、（動力装置、伝動装置等の）駆動手段は、送り出しローラ３と巻き取り回転体４にのみ設ければよく、固定切断刃５では、不要となり、構造が簡単となり、コストダウンを図ることができ、全体として制御が簡単となる。
また、被成形紙Ｍの形状が、空気抵抗により中央部の膨らんだ楕円状となることを防止し、被成形紙Ｍを確実に平坦折畳状とでき、使用感のよいものとすることができる。また、被成形紙Ｍの端縁を所望の位置に揃えることができる。
【００７１】
（請求項３によれば、）所定の折り畳み幅・枚数となるようにロール紙（トイレットペーパ）１から所定長さの紙１ａを平坦折畳状に巻き取って切断するため、平坦折畳状の紙１ａをそのままの形状で使用でき、片手で取り扱えて手間がかからず、特に、幼児や手の不自由な人でも簡単に使用できる。また、ロール紙１に直接に手を触れることがないため、濡れた手でもそのまま利用することができ、例えば、スイミング・プールに隣接のトイレや、一般のトイレ等に設置して、手洗い後の簡便・安価な手拭きとして利用できる。さらに、（動力装置、伝動装置等の）駆動手段は、送り出しローラ３と巻き取り回転体４にのみ設ければよく、固定切断刃５では、不要となり、構造が簡単となり、コストダウンを図ることができ、全体として制御が簡単となる。
また、巻き取り回転体４の構造を簡単にできると共に、紙詰まりや巻き付け不良を防止して、確実に紙１ａを巻き取ることができ、平坦折畳状の紙１ａをきれいに成形できる。  しかも、巻き取り回転体４にて巻き取られる紙１ａ（被成形紙Ｍ）の折り畳み幅を簡単に変更できる。
【図面の簡単な説明】
【図１】本発明の実施の一形態を示す正面図である。
【図２】左側面図である。
【図３】右側面図である。
【図４】外箱を省略した状態を示す正面図である。
【図５】右側面視作用説明図である。
【図６】固定切断刃を示す平面図である。
【図７】巻き取り回転体を示す構成説明図である。
【図８】作用説明図である。
【図９】作用説明図である。
【図１０】作用説明図である。
【図１１】作用説明図である。
【図１２】作用説明図である。
【図１３】作用説明図である。
【図１４】被成形紙を示す斜視図である。
【図１５】本発明の他の実施の形態を示す右側面視作用説明図である。
【図１６】本発明の別の実施の形態を示す要部作用説明図である。
【図１７】本発明のさらに他の実施の形態を示す要部作用説明図である。
【図１８】本発明のさらに別の実施の形態を示す要部作用説明図である。
【図１９】本発明のさらに他の実施の形態を示す正面図である。
【図２０】要部平面図である。
【図２１】要部正面図である。
【図２２】要部側面図である。
【符号の説明】
１  ロール紙
１ａ  紙
２  ローラ軸
３  送り出しローラ
４  巻き取り回転体
５  固定切断刃
１２  送り出し補助ローラ
４０  回転板
４１  折畳棒
４７  巻締部
６０  ストックケース
６０ａ  棚板
６６  収納部
Ｃ  回転円
Ｌ  軸心
Ｍ  被成形紙
【図１】
0003599731.tif 000002
【図２】
0003599731.tif 000003
【図３】
0003599731.tif 000004
【図４】
0003599731.tif 000005
【図５】
0003599731.tif 000006
【図６】
0003599731.tif 000007
【図７】
0003599731.tif 000008
【図８】
0003599731.tif 000009
【図９】
0003599731.tif 000010
【図１０】
0003599731.tif 000011
【図１１】
0003599731.tif 000012
【図１２】
0003599731.tif 000013
【図１３】
0003599731.tif 000014
【図１４】
0003599731.tif 000015
【図１５】
0003599731.tif 000016
【図１６】
0003599731.tif 000017
【図１７】
0003599731.tif 000018
【図１８】
0003599731.tif 000019
【図１９】
0003599731.tif 000020
【図２０】
0003599731.tif 000021
【図２１】
0003599731.tif 000022
【図２２】
0003599731.tif 000023